(57)【特許請求の範囲】
【請求項１】
基地局（２）から無線周波数（ＲＦ）トランスポンダ（１１）へ送られた電力および情報をＲＦ電磁波として受信するアンテナ（１０）と、
前記アンテナ（１０）からＲＦ電力を入力し前記トランスポンダの部品にエネルギを分配する電力供給手段（１２）と、
前記アンテナから放射される電力を制御する放射電力制御手段（１４）と、
前記アンテナから情報を入力する情報受信手段（１６）と、
ＲＦ電流の整流を行う第１のＲＦ電流整流手段（１９）とよりなり、
前記電力供給手段（１２）は第２のＲＦ電流整流手段（１２）を有し、前記放射電力制御手段（１４）は前記電力供給手段（１２）からのみ電力を入力し、前記情報受信手段（１６）は前記放射電力制御手段（１４）に対し情報を送り、前記第１のＲＦ電流整流手段（１９）は前記電力供給手段（１２）から分離されて設けられ、前記第１のＲＦ電流整流手段（１９）は前記放射電力制御手段（１４）により制御され、前記放射電力制御手段（１４）が第１の状態にあるとき前記アンテナ（１０）から大きなＲＦ電流を流し一方前記放射電力制御手段（１４）が第２の状態にあるときには前記アンテナ（１０）から大きなＲＦ電流を流さず、これにより前記アンテナ（１０）を流れるＲＦ電流の振幅と該アンテナ（１０）から反射散乱されるＲＦ電磁波とを変調することを特徴とする無線周波数トランスポンダ。
【請求項２】
前記アンテナ（１０）から放射される電力を制御する前記放射電力制御手段（１４）が論理／メモリ回路を含む請求項１に記載の無線周波数トランスポンダ。
【請求項３】
前記第１のＲＦ電流制御手段（１９）が前記放射電力制御手段（１４）により制御されるスイッチ手段（２４）により制御される請求項２に記載の無線周波数トランスポンダ。
【請求項４】
前記スイッチ手段（２４）が、該アンテナ（１０）の第１の端子（２０）にその高電位レベル側が接続されている前記第１のＲＦ電流整流手段（１９）の低電位レベル側と、該アンテナ（１０）の第２の端子（２２）との間に接続されたトランジスタスイッチ（２７）である請求項３に記載の無線周波数トランスポンダ。
【請求項５】
前記情報受信手段（１６）が、前記第１のＲＦ電流整流手段（１９）および前記トランジスタスイッチ（２７）からなる直列回路に対し並列に接続される請求項４に記載の無線周波数トランスポンダ。
【請求項６】
容量手段（３２）が前記トランジスタスイッチに対し並列に接続される請求項５に記載の無線周波数トランスポンダ。
【請求項７】
前記スイッチ手段（２４）がプッシュ・プル回路（２５、２７）であり、前記プッシュ・プル回路（２５、２７）は前記放射電力制御手段（１４）が第１の状態のとき前記第１のＲＦ電流整流手段（１９）の低電位レベル側と第２の端子（２２）とを接続して電力を制御し第１のＲＦ電流整流手段（１９）に大きなＲＦ電流を流し、一方前記放射電力制御手段（１４）が第２の状態であるときには前記第１のＲＦ電流整流手段（１９）の低電位レベル側と前記電力供給手段（１２）の正の電圧出力とを接続して電力を制御し前記第１のＲＦ電流整流手段（１９）に大きなＲＦ電流が流れることを確実に防止する請求項３に記載の無線周波数トランスポンダ。
【請求項８】
前記第１のＲＦ電流整流手段（１９）がショットキーダイオードでなる請求項４、５、６又は７に記載の無線周波数トランスポンダ。
【請求項９】
情報を発信する基地局（２）と、対象物と連携され情報を基地局（２）に対し発信可能且つ基地局（２）からの情報を受信可能な複数の無線周波数（ＲＦ）トランスポンダ（１１）とからなり、
前記基地局（２）はＲＦ発信装置（４）とＲＦ受信装置（５）と少なくとも１基地局のアンテナ（６）とを包有し、
前記各ＲＦトランスポンダ（１１）は該基地局からＲＦトランスポンダ（１１）へ電力および情報をＲＦ電磁波として受信する少なくとも１のトランスポンダアンテナ（１０）と、
前記トランスポンダアンテナ（１０）から電力を入力し前記トランスポンダの部品にエネルギを分配する電力供給手段（１２）と、
前記トランスポンダアンテナ（１０）から放射される電力を制御する放射電力制御手段（１４）と、
トランスポンダアンテナ（１０）から情報を入力する情報受信手段（１６）と、
ＲＦ電流の整流を行う第１のＲＦ電流整流手段（１９）とからなり、
少なくとも１の前記トランスポンダアンテナ（１０）は第１の端子（２０）および第２の端子（２２）を有し、前記電力供給手段（１２）は前記トランスポンダアンテナ（１０）の該第１および第２の端子（２０、２２）と接続され、前記電力供給手段（１２）は第２のＲＦ電流整流回路であり、前記放射電力制御手段（１４）は前記電力供給手段（１２）からのみ電力を入力し、前記情報受信手段（１６）は情報を前記放射電力制御手段（１４）へと送り、前記第１のＲＦ電流整流手段（１９）は前記電力供給手段（１２）の一部を構成しておらず、前記第１のＲＦ電流整流手段（１９）は前記放射電力制御手段（１４）により制御され、前記放射電力制御手段（１４）が第１の状態にあるとき少なくとも１のアンテナ（１０）の２端子間（２０、２２）に大きなＲＦ電流を流し一方前記放射電力制御手段（１４）が第２の状態にあるときには少なくとも１の前記アンテナ（１０）の２端子間（２０、２２）の大きな電流の流れを防止することを特徴とする対象物をつきとめ識別するシステム。
【請求項１０】
前記基地局が更に前記複数のトランスポンダから情報を入力するコンピュータ手段（８）を包有する請求項９に記載のシステム。
【発明の詳細な説明】
【０００１】
【発明の属する技術分野】
本発明は基地局から放射された無線周波数（以下、ＲＦと略す）電磁波を受信しＲＦアンテナの負荷を変調して情報を基地局へ発信するＲＦトランスポンダに関する。
【０００２】
【従来の技術】
対象目的である対象物、品目、動物および人を、これらが移動中であれ静止中であれ、つきとめて識別し、これらの状態に関する情報を発信するＲＦトランスポンダは多くのいろいろな方法で使用可能である。１９６０年初期以来、アール・エム・リチャードソン（R.M. Richardson）による米国特許第3,098,971号に開示されるように、トランスポンダの構成電子素子が搬送波周波数で基地局から送られトランスポンダのアンテナにより受信される無線周波数電力により付勢されることは知られている。トランスポンダのアンテナで捕獲される信号により、アンテナに交流電流が誘導されＲＦダイオードにより整流されて整流電流を得、この整流電流は構成電子素子に供給される。トランスポンダのアンテナ負荷は測定対象物により、例えば上述した特許ではマイクロフォンの抵抗により変化される。したがって入力するＲＦ電力によりトランスポンダのアンテナに誘導される振動(交流)電流は変化され、この振動電流の変化によりトランスポンダのアンテナから放射されるＲＦ電力も変化されることになる。上記特許では、ダイオードの電流には倍周波数の成分が含まれるので、アンテナ電流も搬送波周波数の倍音で振動し、この周波数は単に反射される場合より一層容易に捕獲され搬送波の周波数から分離できる。この種のトランスポンダ自体には電源を持っていないので、電池を内蔵する能動トランスポンダと区別するため、”受動”トランスポンダと呼ぶことにする。電池は能動トランスポンダの構成素子を駆動する電力を供給するものであるが、トランスポンダのアンテナから情報を発信する電力を供給するものではない。能動トランスポンダはまた情報を基地局に発信するため、そのアンテナの負荷をも変化させことになる。
【０００３】
トランスポンダがそのアンテナのみにより決められるパターンで電力を発信しこの電力の大半が送信アンテナに対し”逆に”放射されることはないけれども、搬送波周波数の入力ＲＦ電力を”再発信(rebroadcast)”することはこれまで”反射散乱”(back scattering）と呼ばれている。
【０００４】
１９７０年台には、論理回路およびリード／ライトメモリを備えたトランスポンダを使用することが提案された。このようにトランスポンダはある特性を、例えば米国特許第4,075,632号では動物の温度を測定することだけではなく動物の識別にも使用可能であった。またアンテナの負荷は単一のトランジスタを用いて変更された。エー・コエレ（A. Koelle）による米国特許第4,786,907号では、トランスポンダの負荷はトランジスタスイッチを用いても変更されている。
【０００５】
ダイオード整流回路と搬送波周波数の２倍のアンテナ電流を変調する平衡変調器とを組み合わせたものがガーリ・ティー・キャロル(Gary T. Carroll)により米国特許第4,724,427号に提案された。
【０００６】
従来のトランスポンダでは、論理／メモリ回路、受信回路および変調回路を用いて、基地局からの情報を受信しトランスポンダから基地局へ情報を発信していた。
【０００７】
半導体技術が開発されトランジスタがより小型化、高速化、小消費電力化へと進むにつれ、かかるトランスポンダの機能も大幅に増加しそのコストも大幅に低減されていった。また、現在得られる研究および開発技術により、通信技術の新しい機能や別の新しい製品も出現するであろう。一方従来のトランジスタスイッチを用いてトランスポンダのアンテナの負荷を変更するため、アンテナに接続される単一チップからなる完全一体システムを使用すると、コスト高になる。すなわち、従来のトランジスタスイッチでは、その動作速度を十分に早くしその静電容量を低くして、このトランジスタスイッチが高い搬送波周波数で良好に動作可能にし、適切な時間内でチップに内蔵されるすべての情報を転送可能にする必要がある。このためこのトランジスタを使用する場合、チップ全体を同じ技術を用いて作る必要があるがチップ全体の動作速度はこの１個のトランジスタ素子の速度にする必要がないので、チップの製造コストが上昇することになる。基地局からトランスポンダへの通信距離の範囲は重要である。この範囲はトランスポンダのアンテナ回路および整流回路により発生される電圧により決定される。一方従来のトランスポンダには変調回路および受信回路が使用され、このため整流回路により発生される電圧が減少されることになる。また従来のトランスポンダは基地局の搬送波の周波数とは別の周波数を用いており、アンテナは通常単一周波数に対し最大効率を発揮するよう構成されているので、これは従来のトランスポンダの欠点となる。
【０００８】
【発明が解決しようとする課題】
本発明の１目的は低コストで製造可能な回路からなるＲＦトランスポンダを提供することにある。本発明の他の目的は高周波数で使用可能なＲＦトランスポンダを製造することにある。本発明の別の目的は最大通信距離範囲を有するＲＦトランスポンダを製造することにある。本発明の更に別の目的は標準の半導体製造技術のみを用いて製造可能なＲＦトランスポンダの電子チップを製造することにある。本発明の更に他の目的は本発明のＲＦトランスポンダと通信する通信システムを製造することにある。本発明の別の目的は本発明を用いて通信装置を制御するシステムを製造することにある。本発明の他の目的は本発明のトランスポンダから受信した情報をを用い更に変更するシステムを製造することにある。
【０００９】
【課題を解決するための手段】
本発明によれば、受動ＲＦトランスポンダの整流電源回路の一部を構成せずトランスポンダの電子回路により制御され、この電子回路が第１の状態のときはＲＦトランスポンダのアンテナの第１の端子から第１の端子へとＲＦ電流が流され、この電子回路が第２の状態のときには大きな電流が流されず、これによりＲＦトランスポンダのアンテナを負荷状態を上記電子回路の第１および第２の状態間で変化させ、ＲＦトランスポンダから反射散乱されるＲＦ電磁波の強度を変更するように構成されるダイオード変調器が提供される。本発明は更に変調器として使用されるダイオードと同じものがトランスポンダの受信回路内にも使用可能であるという別の利点をも有している。
【００１０】
【発明の実施の態様】
図１には基地局２およびＲＦトランスポンダ１１のブロック図が示されている。基地局２には、少なくとも１の基地局のアンテナ６とアンテナ６に接続されるＲＦエネルギ供給源４とが包有される。コンピュータ手段８はＲＦエネルギ供給源４の電力および周波数を制御可能である。ＲＦ電磁波７は基地局のアンテナ６からＲＦトランスポンダのアンテナ１０へと発信される。トランスポンダのアンテナ１０は電磁波を”反射散乱(backscatter)”する場合があり、この反射散乱された電磁波９は基地局のアンテナ６あるいは別のアンテナ（図示せず）により捕獲され、反射散乱信号としてサーキュレータ３を介し基地局の受信装置５へ送られ、そこで反射散乱信号は復調され、更に復調信号としてコンピュータ手段８へ送られる。コンピュータ手段８は復調信号を入力し、加工し、保管し、また復調信号からの情報を使用して更に判断決定を行い、あるいはこの情報を表示装置あるいは通信装置（図示せず）へ送る。
【００１１】
基地局の周波数は好ましくは４００ＭＨｚより高いＲＦあるいはマイクロ波周波数、より好ましくは９００ＭＨｚより高く最も好ましくは２，３００ＭＨｚより高く設定される。
【００１２】
本発明のＲＦトランスポンダ１１のブロック図が図２に示されている。ダイポールアンテナである図示のアンテナ１０はリード線２０、２２を介しブロックで示す電力整流回路１２と接続される。一方、本発明に使用するアンテナは任意の構造のものが使用できる。このアンテナの構造はアンテナ設計分野の当業者には周知のものであり、ホイップアンテナ、ループアンテナ、パッチアンテナ、折り畳み式ダイポールアンテナ、折曲げダイポールアンテナ等が採用できる。ＲＦトランスポンダは複数のアンテナを装備可能である。ブロックで示すトランスポンダの論理／メモリ回路１４の電力は電力整流回路１２からリード線２９を経て供給される。本発明の整流手段としてダイオード１９が図示されており、このダイオード１９はリード線２０、２２の間でスイッチ回路２４に接続されている。すなわち、ダイオード１９とスイッチ回路２４は電力整流回路１２に対し並列に接続され、ダイオード１９は電力整流回路１２の一部を構成していない。スイッチ回路２４はブロックで示される論理／メモリ回路１４により制御される。アンテナ１０から反射される散乱電波はスイッチ回路２４の状態に基づき効果的に制御される。すなわち、スイッチ回路２４が第１の状態にあるとき、ダイオード１９によりアンテナが効果的に”短絡 (shorts out)”される。アンテナ１０に電流を誘導するＲＦ電磁波の最初の半サイクルでは、この誘導電流が実質的にアンテナ１０の２ポールの一方からリード線２０、ダイオード１９、リード線３０、スイッチ回路２４およびリード線２２を経てポールアンテナ１０の他方のポールへと流れる。一方、ポールアンテナ１０に電流を誘導するＲＦ信号の次の半サイクルでは、誘導電流が実質的にポールアンテナ１０の他方のポールからリード線２２、電力整流回路１２のダイオード手段およびリード線２０を経てポールアンテナ１０の一方のポールへと流れる。したがって、アンテナは短絡され、大きな電流がＲＦ電磁波の両サイクルでアンテナの一方のポールから他方のポールへと流されることになる。アンテナが入力するＲＦ電磁波の磁界と共振すると、大きな電流が流れこの大きな電流のため大きな電力が放射され実質的に”反射散乱”される。スイッチ回路２４が第２の状態にあるとき、ダイオード１９には実質的に電流が流れない。すなわち、ＲＦ電磁波の最初の半サイクルでは、誘導電流がポールアンテナ１０の一方のポールから他方のポールへリード線２０、２２および電力整流回路１２のみを経て流れ、共振したアンテナには小さな電流が流れることになる。したがって、制御回路であるスイッチ回路２４が第１の状態にあるとき、小さな電力がアンテナから放射される。アンテナが入力ＲＦ電磁波の磁界と共振しておらずスイッチ回路２４が第１の状態にあるとき、アンテナから放射される電力は第２の状態での放射電力より大きくない。一方一般的には、基地局により捕獲される放射電力と復号化される放射電力との間には依然差が存在する。
【００１３】
最も好ましいトランスポンダには基地局の搬送波周波数と共振するアンテナが装備され、一方基地局はトランスポンダから基地局の搬送波周波数で変調された信号を受信する。
【００１４】
図示の受信回路１６は電力整流回路１２と並列に接続される。受信回路は基地局から受信されたデータをリード線１８を経て論理／メモリ回路１４へと送る。受信回路はまた整流回路（図示せず）の一部あるいは変調回路（後で示す）の一部として構成されることが望ましい。
【００１５】
従来例では、論理／メモリ回路からの信号により制御されるトランジスタスイッチを用いてアンテナ電流を変調していた。一方この従来例で使用するトランジスタは高価であり静電容量も小さい。その理由は、過度に大きな静電容量を有するトランジスタはオフ状態でもアンテナ１０に対しては一部の高周波に対し短絡するトランジスタとして機能するからである。本発明の最も好ましいダイオードとして、静電容量が極めて小さいショットキーダイオードが使用され、オフ状態ではショットキーダイオードであるダイオード１９とスイッチ回路２４との各容量は直列静電容量として加えられ、全体として小さい静電容量が与えられることになる。ショットキーダイオードとしてのダイオード１９もまた、現代の電子工学のｎ型およびｐ型の電界効果トランジスタおよび論理／メモリ回路１４や他の必要なＲＦアナログ回路の構成素子と共に、単一のチップとして一体形成でき、したがってトランスポンダのすべての電子素子が単一チップに内蔵可能である。図には単一のダイオード１９のみが示されたが、ダイオード１９の代わりに十分に小さな静電容量を有する単一あるいは複数のＲＦ電流整流素子を採用できることは当業者には明らかであろう。
【００１６】
電力整流回路の好ましい実施例が図３に示される。ダイオード１５、１３はコンデンサ１７と共に倍電圧回路を構成し、この倍電圧回路はリード線２９を介し論理／メモリ回路へ電力を供給するよう機能する。図３にはダイオード１３、１５およびコンデンサ１７からなる簡単な電圧整流／倍電圧回路を図示したが、電源分野で周知な倍電圧回路や他の倍電圧／加算回路をも使用できよう。
【００１７】
論理／メモリ回路１４（図３には図示せず）の構造も当業者には周知である。最も好ましいリード／ライトメモリ素子としてＥＥＰＲＯＭ（電子的に消去可能、プログラム可能な読取専用メモリ）が使用されるが、強誘電メモリ素子のような他の素子も採用できよう。
【００１８】
論理／メモリ回路１４からリード線２６を経て印加された電圧により制御される好ましいスイッチ回路２４が図４に示され、この場合ｎ型電界効果トランスジスタ２７がオンのときダイオード１９のローレベル側をリード線２２上の電圧に駆動するよう機能する単一のｎ型電界効果トランスジスタ２７が使用されている。
【００１９】
図５に示す好ましいスイッチ回路にはコンデンサ３２が包有される。コンデンサ３２の両端子間の電圧は測定され、基地局から発信されるＲＦ信号の変調はこの測定値に基づき決定できる。このように、トランスポンダの変調回路も受信回路もダイオード電源の一部を構成していないので、この電源は大きな電圧をトランスポンダの電子構成素子に供給可能である。コンデンサ３２および電圧測定回路のＲＣ時定数は、基地局により搬送波の周波数に印加される変調周波数に適合するよう十分小さな値にする必要がある。オフ状態でのｎ型電界効果トランスジスタ２７自体の静電容量はこの目的に好適である。
【００２０】
図６に示す好ましいスイッチ回路には、リード線２６上の電圧が１から０へ変化するときダイオード１９をオフすなわち遮断するよう機能する別のｐ型電界効果トランスジスタ２５が使用されている。ダイオード１９のローレベル側は電源のリード線２９に接続されバイアスされてオフにされる。このような構成のため、ダイオード１９が図４の回路の場合より一層迅速に遮断される。一方本発明は、制御回路の下でダイオード１９をバイアスしオンオフするのに用いる特定の型のスイッチ回路に限定されるものではない。
【００２１】
図６に示すプッシュープル回路は、論理／メモリ回路１４の制御の下でダイオード１９のローレベル電圧側にバイアスを加えリード線２２へのＲＦ電流に対しオンオフ切り替えを行うことのできる、当業者には周知な多くの回路のほんの一例にすぎない。図４、図５、図６のスイッチ回路に対しては単に、アンテナ１０から反射散乱される電波を変調するに必要な変調周波数を高くすることにのみが要求される。この変調周波数は好ましくは１ｋＨｚ−１ＭＨｚの範囲内、より好ましくは１０−１００ｋＨｚの範囲内、最も好ましくは２０−６０ｋＨｚの範囲内に設定される。
【００２２】
まとめとして、本発明の構成に関して以下の事項を開示する。
【００２３】
（１）基地局から無線周波数（ＲＦ）トランスポンダへ送られた電力および情報をＲＦ電磁波として受信するアンテナと、前記アンテナからＲＦ電力を入力する第１の手段と、前記アンテナから放射された電力を制御する第２の手段と、前記アンテナから情報を入力する第３の手段と、ＲＦ電流の整流を行う第４の手段とよりなり、前記第１の手段はＲＦ電流整流手段を有し、前記第２の手段は前記第１の手段からのみ電力を入力し、前記第３の手段は前記第２の手段に対し情報を送り、前記第４の手段は前記第１の手段から分離されて設けられ、前記第４の手段は前記第３の手段により制御され、前記第２の手段が第１の状態にあるとき前記アンテナから大きなＲＦ電流を流し一方前記第２の手段が第２の状態にあるときには前記アンテナから大きなＲＦ電流を流さず、これにより前記アンテナを流れるＲＦ電流の振幅と該アンテナから反射散乱されるＲＦ電磁波とを変調することを特徴とする無線周波数トランスポンダ。
（２）前記アンテナから放射される電力を制御する前記第２の手段が論理／メモリ回路を含む上記（１）に記載の無線周波数トランスポンダ。
（３）前記第４の手段が前記第３の手段により制御される第５のスイッチ手段により制御される上記（２）に記載の無線周波数トランスポンダ。
（４）前記第５のスイッチ手段が該アンテナの第１の端子に接続されている前記第４の手段のローレベル側と該アンテナの第２の端子に接続されている前記第４の手段のハイレベル側との間に接続されたトランジスタスイッチである上記（３）に記載の無線周波数トランスポンダ。
（５）前記第３の手段が前記第４の手段のローレベル側と前記アンテナの第１の端子との間で前記トランジスタスイッチに対し並列に接続される上記（４）に記載の無線周波数トランスポンダ。
（６）第６の容量手段が前記第４の手段のローレベル側と前記アンテナの第１の端子との間で前記トランジスタスイッチに対し並列に接続される上記（５）に記載の無線周波数トランスポンダ。
（７）前記第５のスイッチ手段がプッシュープル回路であり、前記プッシュープル回路は前記第２の手段が第１の状態のとき前記第４の手段のローレベル側と第１の端子とを接続して電力を制御し前記第４の手段に大きなＲＦ電流を流し、一方前記第２の手段が第２の状態であるときには前記第５の手段のローレベル側と前記第１の手段の正の電圧出力とを接続して電力を制御し前記第４の手段に大きなＲＦ電流が流れることを確実に防止する上記（３）に記載の無線周波数トランスポンダ。
（８）前記第４の手段がショットキーダイオードでなる上記（４）、（５）、（６）又は（７）に記載の無線周波数トランスポンダ。
（９）前記第４の手段がショットキーダイオードでなる上記（５）に記載の無線周波数トランスポンダ。
（１０）前記第４の手段がショットキーダイオードでなる上記（６）に記載の無線周波数トランスポンダ。
（１１）前記第４の手段がショットキーダイオードでなる上記（７）に記載の無線周波数トランスポンダ。
（１２）情報を発信する基地局と、対象物と連携され情報を基地局に対し発信可能且つ基地局からの情報を受信可能な複数の無線周波数（ＲＦ）トランスポンダとからなり、前記基地局はＲＦ発信装置とＲＦ受信装置と少なくとも１基地局のアンテナとを包有し、前記各ＲＦトランスポンダは該基地局からＲＦトランスポンダへ電力および情報をＲＦ電磁波として受信する少なくとも１のトランスポンダアンテナと、前記トランスポンダアンテナから電力を入力する第１の手段と、前記トランスポンダアンテナから放射される電力を制御する第２の手段と、トランスポンダアンテナから情報を入力する第３の手段と、ＲＦ電流の整流を行う第４の手段とからなり、少なくとも１の前記トランスポンダアンテナは第１の端子および第２の端子を有し、前記第１の手段は前記トランスポンダアンテナの該第１および第２の端子と接続され、前記第１の手段はＲＦ電流整流回路であり、前記第２の手段は前記第１の手段からのみ電力を制御し、前記第３の手段は前記第１の手段からのみ電力を入力し、前記第３の手段は情報を前記第２の手段へと送り、前記第４の手段は前記第１の手段の一部を構成しておらず、前記第４の手段は前記第２の手段により制御され、前記第２の手段が第１の状態にあるとき少なくとも１のアンテナの２端子間に大きなＲＦ電流を流し一方前記第２の手段が第２の状態にあるときには少なくとも１の前記アンテナの２端子間の大きな電流の流れを防止することを特徴とする対象物をつきとめ識別するシステム。
（１３）前記基地局が更に前記複数のトランスポンダから情報を入力するコンピュータ手段を包有する上記（１２）に記載のシステム。
【図面の簡単な説明】
【図１】図１はＲＦトランスポンダに対しＲＦ電力および情報を送信および受信するシステムのブロック図である。
【図２】図２は本発明のトランスポンダのブロック図である。
【図３】図３は本発明のトランスポンダを付勢する好ましい回路の回路図である。
【図４】図４は本発明のダイオードをスイッチング動作させる最も好ましいスイッチ構成の回路図である。
【図５】図５は変調器のダイオードがトランスポンダの受信回路に好ましく使用可能な好ましいスイッチ構成の回路図である。
【図６】図６は本発明のダイオードをスイッチング動作する好ましい別のスイッチ構成の回路図である。
【符号の説明】
２    基地局
４    ＲＦエネルギ供給源
５    受信装置
６    アンテナ
７    ＲＦ電磁波
８    コンピュータ手段
９    反射散乱電磁波
１０  アンテナ
１１  ＲＦトランスポンダ
１２  電力整流回路
１３  ダイオード
１４  論理／メモリ回路
１５  ダイオード
１７  コンデンサ
１８  リード線
１９  ダイオード
２０、２２ リード線
２４  スイッチ回路
２６  リード線
２７  ｎ型電界効果トランジスタ
２９  リード線
３０  リード線
３２  コンデンサ
【図１】
0003940186.tif 000002
【図２】
0003940186.tif 000003
【図３】
0003940186.tif 000004
【図４】
0003940186.tif 000005
【図５】
0003940186.tif 000006
【図６】
0003940186.tif 000007